(57)【要約】【課題】外観品質を向上させることができるバックライト組立体を提供する。【解決手段】バックライト組立体は、光を発生させ出射するランプ組立体１００と、ランプ組立体から入射された光の経路を変更して出射させる導光板２００と、底部３１０及び前記底部から垂直に延び収納空間を形成する側部３２０で構成される収納容器３００と、導光板を収納容器に固定する接着部材４００と、を含む。導光板は下部面に形成されるプリズムパターンを含み、接着部材はランプ組立体が収納された入光部の反対側である対向部に配置される。【選択図】図１
2005235771.tif 000002
【特許請求の範囲】
【請求項１】
光を発生するランプと、前記ランプから発生された光を反射させるランプ反射板とを含むランプ組立体と、
前記ランプ組立体から入射された光の経路を変更して出射させる導光板と、
底部、及び前記底部の縁部から延びて収納空間を形成する側部で構成され、前記ランプ組立体と前記導光板とを収納する収納容器と、
前記導光板を前記収納容器に固定する接着部材と、
を含むバックライト組立体。
【請求項２】
前記導光板は、下部面に形成されるプリズムパターンをさらに含むことを特徴とする請求項１記載のバックライト組立体。
【請求項３】
前記プリズムパターンは、前記ランプの長さの方向と垂直な方向に形成されることを特徴とする請求項２記載のバックライト組立体。
【請求項４】
前記導光板は前記ランプ組立体から遠くなるほど厚さが薄くなることを特徴とする請求項２記載のバックライト組立体。
【請求項５】
前記収納容器の側部は、
前記ランプ組立体が配置される第１側壁と、
前記第１側壁と向き合う第２側壁と、
前記第１側壁から垂直に延び前記第２側壁と連結される第３側壁と、
前記第３側壁と向き合うように前記第１側壁から垂直に延び前記第２側壁と連結される第４側壁と、
を含むことを特徴とする請求項１記載のバックライト組立体。
【請求項６】
前記接着部材は、前記第２側壁と隣接する前記底部に前記第２側壁に沿って配置されることを特徴とする請求項５記載のバックライト組立体。
【請求項７】
前記接着部材の下面は前記底部と接着され、前記接着部材の上面は前記導光板と接着されることを特徴とする請求項６記載のバックライト組立体。
【請求項８】
前記接着部材は、両面テープであることを特徴とする請求項５記載のバックライト組立体。
【請求項９】
前記第１側壁は、
前記底部に垂直に延びる側壁部と、
前記側壁部から前記底部と並ぶよう前記導光板の方向に延びる上部壁部と、
前記上部壁部から突出し前記導光板を支持する第１突起部と、を含むことを特徴とする請求項５記載のバックライト組立体。
【請求項１０】
前記第１突起部は、前記第１側壁と前記第３側壁とが接する第１角部、及び前記第１側壁と前記第４側壁とが接する第２角部に隣接してそれぞれ形成されることを特徴とする請求項９記載のバックライト組立体。
【請求項１１】
前記収納容器は、前記側部と前記導光板を一定間隔離隔するために前記第３側壁及び前記第４側壁の内側面から前記導光板方向にそれぞれ突出される第２突起部をさらに含むことを特徴とする請求項５記載のバックライト組立体。
【請求項１２】
前記導光板の上部に配置される光学シートと、
前記導光板の下部に配置され前記導光板から漏洩する光を反射させる反射シートをさらに含むことを特徴とする請求項１記載のバックライト組立体。
【請求項１３】
前記光学シートは、逆プリズムシートを含むことを特徴とする請求項１２記載のバックライト組立体。
【請求項１４】
前記ランプ組立体の収納位置に対応して前記収納容器の外部に結合されるバックカバーをさらに含むことを特徴とする請求項１記載のバックライト組立体。
【請求項１５】
前記底部のうち、前記ランプ組立体の配置される領域は開口され、前記バックカバーは前記開口された領域を通って前記ランプ反射板と接触することを特徴とする請求項１４記載のバックライト組立体。
【請求項１６】
前記ランプ反射板は、外部に突出したフック部をさらに含み、前記バックカバーは前記フック部と結合される結合孔をさらに含むことを特徴とする請求項１５記載のバックライト組立体。
【請求項１７】
光を発生するランプを含むランプ組立体と、
前記ランプ組立体から入射された光の経路を変更して出射させる導光板と、
部分的に連結された複数のリブと前記複数のリブの間に形成される開口部とを有する底部、及び前記底部から延びて収納空間を形成する側部で構成され、前記ランプ組立体及び前記導光板を収納する収納容器を含み、
前記導光板を支持する前記リブの内面は前記開口部と隣接するほど前記リブの厚さが薄くなるように斜めになった部分を有するように形成されることを特徴とするバックライト組立体。
【請求項１８】
前記導光板は、前記ランプの長さの方向と垂直な方向に下部面に形成されるプリズムパターンをさらに含むことを特徴とする請求項１７記載のバックライト組立体。
【請求項１９】
前記導光板と前記底部との間に介在しれ前記導光板を固定する接着部材をさらに含むことを特徴とする請求項１７記載のバックライト組立体。
【請求項２０】
前記接着部材は、前記ランプ組立体が実装される入光部の反対側である対向部に配置されることを特徴とする請求項１９記載のバックライト組立体。
【請求項２１】
前記導光板の上部に配置され、逆プリズムシートを含む光学シートと、
前記導光板の下部に配置され、前記導光板から漏洩する光を反射させる反射シートと、をさらに含むことを特徴とする請求項１７記載のバックライト組立体。
【請求項２２】
光を発生するランプを含むランプ組立体と、前記ランプ組立体から発生した光の経路を変更して出射させる導光板と、底部及び前記底部から延びて収納空間を形成する側部で構成される収納容器と、前記導光板と前記底部との間に介在し前記導光板を固定する接着部材とを含むバックライト組立体と、
前記バックライト組立体から出射される光を利用して画像を表示する液晶表示パネルと、
前記液晶表示パネルを前記バックライト組立体に固定するためのトップシャーシと、
を含む液晶表示装置。
【請求項２３】
前記接着部材は、両面テープであり、前記ランプ組立体が実装される入光部の反対側である対向部に配置されることを特徴とする請求項２２記載の液晶表示装置。
【請求項２４】
前記導光板は、前記ランプの長さの方向と垂直な方向で下部面に形成されるプリズムパターンをさらに含むことを特徴とする請求項２２記載の液晶表示装置。
【請求項２５】
前記収納容器の底部は、部分的に互いに連結される複数のリブと、前記複数のリブの間に形成される開口部とを含み、前記導光板と向き合う前記リブの内面は、前記開口部と隣接するほど厚さが薄くなるように斜めになった部分を有するように形成されることを特徴とする請求項２２記載の液晶表示装置。
【請求項２６】
前記収納容器の側部は、４つの側壁からなり、各側壁が互いに接する角部には前記液晶表示パネルの収納位置を規制するための規制部が形成されることを特徴とする請求項２２記載の液晶表示装置。
【請求項２７】
前記導光板の上部に配置され、逆プリズムシートを含む光学シートと、
前記導光板の下部に配置され、前記導光板から漏洩する光を反射させる反射シートと、
前記ランプ組立体の収納位置において前記収納容器の外部に結合されるバックカバーと、をさらに含むことを特徴とする請求項２２記載の液晶表示装置。
【発明の詳細な説明】
【技術分野】
【０００１】
本発明は、バックライト組立体及びこれを有する液晶表示装置に関し、さらに詳細には高輝度のために下部にプリズムパターンが形成された導光板を含むバックライト組立体及びこれを有する液晶表示装置に関する。
【背景技術】
【０００２】
一般的に、液晶表示装置は、液晶を利用して画像を表示する平板表示装置の一つとして、他の表示装置に比べて薄くて軽く、低消費電力及び低駆動電圧を有するという長所があって、産業全般にわたって幅広く使われている。
【０００３】
前記液晶表示装置は、薄膜トランジスタ基板（以下、ＴＦＴと称する）と、前記ＴＦＴ基板に対向するカラーフィルター基板と、前記両基板の間に介在し電気的な信号が印加されるに従って光の透過率を変更させる液晶とで構成される液晶表示パネルを含む。また、前記液晶表示装置は、前記液晶表示パネルが自発発光をすることができない受光型なので、別途の光を供給するためのバックライト組立体をさらに含む。
【０００４】
前記バックライト組立体は光を発生するランプ、前記ランプから発生された光の経路を前記液晶表示パネル方向にガイドするための導光板、前記導光板の下部に配置され漏洩する光を反射させる反射シート、前記導光板で出射される光の輝度特性を向上させる光学シート、及びこれらを収納するための収納容器を含む。
【０００５】
最近、高輝度化及び低費用化のためにプリズム導光板が開発された。前記プリズム導光板は、下部に微細ピッチのプリズムパターンが形成された導光板として、逆プリズムシート（即ち、プリズムが上面でなく下面に形成されているシート）１枚だけでも以前より高い輝度を得ることができるという長所を有する。
【０００６】
しかし、前記プリズム導光板は、下部にプリズムパターンが形成されることで、その外観形態に起因する品質、例えば脆弱であるといった短所を有する。以下、このような外観が正確な形状のままに維持されることにより保たれる品質を便宜上「外観品質」と呼ぶ。前記プリズム導光板を前記収納容器に固定するために加工して形状を変更させる場合は加工部位で暗部が発生されるという問題があり、下部に形成されたプリズムパターンが収納容器によって形状が変形され外観品質を低下させるという問題が発生する。
【発明の開示】
【発明が解決しようとする課題】
【０００７】
従って、本発明はこのような従来の問題点を勘案したもので、プリズム導光板を安定的に固定させ、外観品質を向上させることができるバックライト組立体を提供することにある。
【０００８】
本発明の別の目的は前記したバックライト組立体を有する液晶表示装置を提供することにある。
【課題を解決するための手段】
【０００９】
上述した本発明の目的を果たすためのバックライト組立体は、ランプ組立体、導光板、収納容器及び接着部材を含む。
【００１０】
前記ランプ組立体は、光を発生するランプ及び前記ランプから発生された光を反射させるランプ反射板を含む。
【００１１】
前記導光板は前記ランプ組立体から入射された光の経路を変更して出射させる。
【００１２】
前記収納容器は、底部と、前記底部から垂直に延び収納空間を形成する側部とで構成され、前記ランプ組立体及び前記導光板を収納する。
【００１３】
前記接着部材は前記導光板を前記収納容器に固定する。
【００１４】
また、本発明の目的を果たすためのバックライト組立体は、ランプ組立体、導光板及び収納容器を含む。
【００１５】
前記ランプ組立体は、光を発生するランプを含み、前記導光板は前記ランプ組立体から入射された光の経路を変更して出射する。
【００１６】
前記収納容器は、部分的に連結された複数のリブと前記複数のリブの間に形成される開口部を有する底部、及び前記底部から垂直に延び収納空間を形成する側部で構成される。前記収納容器には前記ランプ組立体及び前記導光板が収納される。ここで、前記導光板を支持する前記リブの内面は前記開口部と隣接するほど厚さが薄くなるように斜めになった部分を有するように形成される。
【００１７】
上述した本発明の他の目的を果たすための液晶表示装置は、バックライト組立体、液晶表示パネル及びトップシャーシを含む。
【００１８】
バックライト組立体は、光を発生するランプを含むランプ組立体と、前記ランプ組立体から発生された光の経路を変更して出射させる導光板と、底部及び前記底部から垂直に延び収納空間を形成する側部で構成される収納容器と、前記導光板と前記底部との間に介在して前記導光板を固定する接着部材と、を含む。
【００１９】
前記液晶表示パネルは、前記バックライト組立体から出射される光を利用して画像を表示する。
【００２０】
前記トップシャーシは、前記液晶表示パネルを前記バックライト組立体に固定する。
【００２１】
このようなバックライト組立体及びこれを有する液晶表示装置によると、接着部材を利用して導光板を収納容器に固定することで、外観品質を向上させ、収納容器のリブを斜めの方向に形成することで、導光板の不良発生を防止することができる。
【発明を実施するための最良の形態】
【００２２】
以下、図面を参照して本発明の望ましい一実施形態をより詳細に説明する。
【００２３】
図１は本発明の一実施形態によるバックライト組立体を示した分解斜視図である。
【００２４】
図１に示すように、本発明の一実施形態によるバックライト組立体１０００は、ランプ組立体１００、導光板２００、収納容器３００及び接着部材４００を含む。
【００２５】
ランプ組立体１００は、光を発生する少なくとも一つのランプ１１０、及びランプ１１０を保護しランプ１１０から発生した光を導光板２００に反射させるためのランプ反射板１２０を含む。ランプ組立体１００は、収納容器３００の下部から収納容器３００一側部に収納される。
【００２６】
ランプ１１０は棒形状を有する冷陰極管蛍光ランプ（ＣＣＦＬ）で構成され、ランプ反射板１２０は反射率が高い材質からなるか、ランプ１１０をカバーするカバー面に反射部質がコーティングされた構造を有し、ランプ１１０から発生した光を導光板２００側に反射させ光の利用効率を向上させる。
【００２７】
導光板２００は収納容器３００の上部から前記収納容器３００の内部空間に収納される。導光板２００は一側面に配置されたランプ組立体１００から入射する線光源形態の光を面光源形態の光に変更して出射する役割を遂行する。導光板２００はランプ組立体１００が配置された入光部から前記入光部の反対側である対向部の方に近づくほど厚さが薄くなるウェッジ形状を有する。導光板２００の下部面にはランプ組立体１００から入射された光のうち、導光板２００の下部に向かう光を導光板２００の上方にそのの経路を変更するための第１プリズムパターンが形成される。
【００２８】
収納容器３００は底部３１０及び底部３１０から垂直に延長され収納空間を形成する側部３２０からなり、ランプ組立体１００及び導光板２００を収納する。
【００２９】
接着部材４００は導光板２００の前記対向部に配置され、導光板２００を収納容器３００に固定させる。一例で、接着部材４００は両面テープからなる。
【００３０】
本発明の一実施形態によるバックライト組立体１０００は、導光板２００の下部に配置される反射シート５００及び導光板２００の上部に配置される光学シート６００をさらに含む。
【００３１】
反射シート５００は導光板２００から漏洩する光を反射させ再度導光板２００の内部に入射させる。そのために、反射シート５００は光を反射するための反射物質から形成されるか、ベースフィルム上に反射物質をコーティングする方式によって形成される。
【００３２】
光学シート６００は導光板２００から出射される光の輝度特性を向上させるために導光板２００の上部に配置される。光学シート６００は導光板２００から出射される光の正面輝度を向上させるための、プリズムが下面に形成されたシート、即ち逆プリズムシート６００を含む。逆プリズムシート６００の下部面には第２プリズムパターンが形成される。図示していないが、光学シート６００は少なくとも１枚の拡散シートをさらに含むことができる。前記拡散シートは逆プリズムシート６００の下部または上部に配置され、導光板２００または逆プリズムシート６００から出射される光を拡散させ光の輝度均一性を向上させることができる。一方、光学シート６００は要求される輝度特性によって、前記拡散シートまたは別途のプリズムシートの追加または除去が可能である。
【００３３】
また、バックライト組立体１０００はランプ組立体１００から発生する熱の容易な放出のためのバックカバー７００をさらに含む。バックカバー７００はランプ反射板１２０の側面及び下部面を被覆するように収納容器３００の下部から収納容器３００と結合される。
【００３４】
図２は図１に示された導光板及び光学シートの下部面を具体的に示した斜視図であり、図３は図２のＡ部分を拡大した拡大図である。
【００３５】
図２及び図３に示すように、導光板２００はランプ組立体１００と隣接する入光部から前記入光部の反対側である対向部の方に近づくほど厚さが薄くなるウェッジ形状を有する。収納容器３００の底部３１０と向き合う導光板２００の下部面には第１プリズムパターン２１０が形成される。
【００３６】
第１プリズムパターン２１０は三角柱形状を有する複数の第１プリズム２２０が互いに連接して形成される。それぞれの第１プリズム２２０はランプ組立体１００の長さの方向に垂直な方向を長さ方向として有するように形成される。それぞれの第１プリズム２２０は第１傾斜面２２２及び第２傾斜面２２４を含み、第１傾斜面２２２と第２傾斜面２２４とが互いに接してピーク２２０ａ及び谷部２２０ｂを形成する。第１プリズムパターン２１０は要求される輝度特性によって多様な変形が可能であるが、一例で、第１傾斜面２２２と第２傾斜面２２４との成す内角は１２０°であり、互いに隣接するピーク２２０ａ間の距離または互いに隣接する谷部２２０ｂ間の距離であるピッチＰＷは５０μｍ〜６０μｍに形成される。
【００３７】
このように、導光板２００の下部面に第１プリズムパターン２１０を形成することで、導光板２００は正面輝度がより向上された光を出射させる。
【００３８】
光学シート６００は導光板２００の上部に配置される。導光板２００の上部面と向き合う光学シート６００の下部面には第２プリズムパターン６１０が形成される。第２プリズムパターン６１０は三角柱形状を有する複数の第２プリズム（拡大しては図示せず）が互いに連接し形成される。ここで、それぞれの第２プリズムはランプ組立体１００の長さの方向と平行の方向、すなわち、導光板２００の下部面に形成された第１プリズム２２０の長さの方向と垂直な方向を長さ方向として有するように形成される。
【００３９】
このように、導光板２００の下部面及び光学シート６００の下部面に互いに直交する方向に第１及び第２プリズムパターン２１０、６１０をそれぞれ形成することで、別途の光学シートを追加しなくても、より向上された輝度を得ることができる。
【００４０】
一方、光学シート６００は両側部にそれぞれ形成される第１シート固定部６２０をさらに含む。第１シート固定部６２０は光学シート６００の両側部からそれぞれ突出し収納容器３００の側部３２０に固定されるもので、第１シート固定部６２０の中央部には収納容器３００との結合のための固定用ホール６２２が形成される。
【００４１】
図４は図１に示された収納容器及び接着部材を具体的に示した斜視図であり、図５は図１に示されたバックライト組立体の対向部を示した断面図である。
【００４２】
図４及び図５に示すように、収納容器３００は底部３１０及び底部３１０のエッジから垂直に延長された側部３２０で構成される。
【００４３】
底部３１０は、部分的に連結された複数のリブ３１２及び複数のリブ３１２の間に形成される開口部３１４を含む。
【００４４】
側部３２０は、ランプ組立体１００が配置される第１側壁３２０ａ、第１側壁３２０ａと向き合う第２側壁３２０ｂ、第１側壁３２０ａの一端部から垂直に延長し第２側壁３２０ｂと連結される第３側壁３２０ｃ、及び第３側壁３２０ｃと向き合うように第１側壁３２０ａの他端部から垂直に延長し第２側壁３２０ｂと連結される第４側壁３２０ｄを含む。
【００４５】
第１ないし第４側壁３２０ａ、３２０ｂ、３２０ｃ、３２０ｄのうち、第３及び第４側壁３２０ｃ、３２０ｄの上部面にはそれぞれ光学シート６００を固定するための固定突起３２２が形成される。光学シート６００は第１シート固定部６２０の固定用ホール６２２が固定突起３２２と嵌合することで、収納容器３００に固定される。
【００４６】
接着部材４００は第２側壁３２０ｂと隣接するよう、底部３１０に第２側壁３２０ｂの延長方向に沿って配置される。接着部材４００は収納容器３００の底部３１０と導光板２００との間に配置され導光板２００を収納容器３００に固定させる。導光板２００の固定のために接着部材４００の上面及び下面には接着物質が形成される。一例で、接着部材４００はポリエチレン・テレフタレートＰＥＴ材質のベースフィルムと、前記ベースフィルムの上面及び下面に形成された接着層とで構成される両面テープである。従って、接着部材４００の上面は導光板２００と接着され、接着部材４００の下面は収納容器３００の底部３１０と直接的に接着される。この時、収納容器３００の底部３１０上に実装された反射シート５００は接着部材４００と重畳されないように配置される。一方、接着部材４００は導光板２００の対向部から光が漏れることを防止するために黒色材質からなることが望ましい。
【００４７】
図６は図４に示された収納容器のＢ部分の背面を示した斜視図であり、図７は図１に示されたバックライト組立体の入光部側を切断した断面図である。
【００４８】
図６及び図７に示すように、収納容器３００の４つの側壁のうち、ランプ組立体１００が収納される第１側壁３２０ａは上部壁部３３０及び側壁部３４０で構成される。上部壁部３３０はランプ組立体１００の上部をカバーし、側壁部３４０はランプ組立体１００の側部をカバーする。
【００４９】
第１側壁３２０ａの上部壁部３３０は、上部壁部３３０から底部３１０方向に所定高さで突出される第１突起部３３２をさらに含む。第１突起部３３２は図６に示されたように、第１側壁３２０ａと第４側壁３２０ｄとが接する第１角部に隣接して形成され、また、図示していないが、第１突起部３３２は、第１側壁３２０ａと第３側壁３２０ｃとが接する第２角部にも隣接して形成される。このような第１突起部３２２は導光板２００がランプ組立体１００方向に押されることを防止する役割をする。
【００５０】
一方、第１側壁３２０ａの上部壁部３３０にはランプワイヤー１１２を固定するためのガイド溝３３４が形成される。ランプ１１０に駆動電圧を印加するためにランプ１１０の両端部にそれぞれ連結されるランプワイヤー１１２の内、少なくとも一つのランプワイヤー１１２は収納容器の一端部から他端部に引き延ばされる。この時、引き延ばされるランプワイヤー１１２は第１側壁３２０ａの上部壁部３３０に形成されたガイド溝３３４に挿入され固定される。
【００５１】
収納容器３００は、第３及び第４側壁３２０ｃ、３２０ｄにそれぞれ形成された第２突起部３２４をさらに含むことができる。第２突起部３２４は第３及び第４側壁３２０ｃ、３２０ｄの内側面から導光板２００方向に所定高さで突出されるように形成される。第２突起部３２４は図６に示されたように、第４側壁３２０ｄは第１側壁３２０ａと接する前記第１角部に隣接して形成され、図示していないが、第３側壁３２０ｃと第１側壁３２０ａとが接する前記第２角部に隣接しても形成される。第２突起部３２４は、第１突起部３３２と連結あるいは連絡するように形成されることが望ましい。このような第２突起部３２４は導光板２００の収納時、第３側壁３２０ｃ及び第４側壁３２０ｄから一定距離離隔された状態で収納されるように支持する役割をする。従って、ランプ１１０から発生した熱によって導光板２００がある程度膨脹する場合、導光板２００と第３側壁３２０ｃとの間、及び導光板２００と第４側壁３２０ｄとの間に形成された余裕空間によって、導光板２００の撓みなどのような変形を防止することができる。
【００５２】
収納容器３００の第１側壁３２０ａには収納容器３００の下部からランプ組立体１００及びバックカバー７００が順次に実装される。ランプ反射板１２０の下部面は、収納容器３００の底部３１０のうち、開口部３１４を通じて外部に露出する。バックカバー７００は、第１側壁３２０ａ及び底部３１０の一部領域をカバーするように収納容器３００と結合される。この時、バックカバー７００は開口部３１４を通じて露出されたランプ反射板１２０の下部面と直接的に接触する。従って、バックカバー７００は、収納容器３００に実装されたランプ組立体１００の離脱を防止すると同時に、ランプ組立体１００から発生された熱を外部に放出させる役割をする。このために、バックカバー７００は熱伝導度の高い金属材質からなることが望ましい。
【００５３】
一方、収納容器３００の第３及び第４側壁３２０ｃ、３２０ｄにはランプ反射板１２０とバックカバー７００とのねじ締結のための締結孔３２６が形成される。
【００５４】
図８は図１に示されたランプ反射板及びバックカバーを具体的に示した斜視図である。
【００５５】
図８に示すように、ランプ反射板１２０は一端部から第３または第４側壁３２０ｃ、３２０ｄに沿って延長する連結部１２２をさらに含む。連結部１２２には第３または第４側壁３２０ｃ、３２０ｄに形成された締結孔３２６の位置に対応して第１貫通孔１２４が形成される。ランプ反射板１２０は第１貫通孔１２４及び締結孔３２６を利用したねじ締結によって第１側壁３２０ａに固定される。
【００５６】
バックカバー７００には第３及び第４側壁３２０ｃ、３２０ｄに形成された締結孔３２６の位置に対応して第２貫通孔７２０が形成される。バックカバー７００は第２貫通孔７２０及び締結孔３２６を利用したねじ締結によって収納容器３００に固定される。これらのねじ締結に関しては、締結孔３２６はねじ穴とすることができる。
【００５７】
一方、ランプ反射板１２０は、下部面から外部に突出するフック部１２６をさらに含み、バックカバー７００はフック部１２６と対応した位置に形成される結合孔７３０をさらに含む。ランプ反射板１２０は一端部または両端部に形成された連結部１２２を通じて収納容器３００に固定される。しかし、ランプ反射板１２０の長さ方向の中央部は、収納容器３００と別途に締結されていないことに起因して、若干の外部衝撃だけでも変形され導光板２００側に押しやられてしまう可能性がある。従って、ランプ反射板１２０のフック部１２６とバックカバー７００の結合孔７３０とを結合することで、ランプ反射板１２０が部分的に導光板２００方向に押しやられることを防止することができる。
【００５８】
図９は図４に示された収納容器の平面図であり、図１０は図４に示された収納容器の第２側壁と第４側壁とが接する第３角部を具体的に示した斜視図である。
【００５９】
図９及び図１０に示すように、収納容器３００の第３及び第４側壁３２０ｃ、３２０ｄにはランプ組立体１００が収納される入光部に隣接してそれぞれ第２突起部３２４が形成される。収納容器３００に収納される導光板２００は、第２突起部３２４によって第３及び第４側壁３２０ｃ、３２０ｄと一定距離離隔されるように実装される。
【００６０】
収納容器３００の第３及び第４側壁３２０ｃ、３２０ｄには前記入光部の反対側である対向部に隣接して凹陥部３２８がさらに形成されることができる。凹陥部３２８は第３及び第４側壁３２０ｃ、３２０ｄの内側面から所定深さ凹陥され形成される。導光板２００が入光部の厚さより対向部の厚さが薄いウェッジ形状を有することで、導光板２００の変形程度は入光部に比べて対向部側でより大きく現われる。従って、対向部に隣接する位置に凹陥部３２８を形成することで、導光板２００の撓みを防止し、導光板２００角部の破損を防止することができる。
【００６１】
第１、第２、第３及び第４側壁３２０ａ、３２０ｂ、３２０ｃ、３２０ｄの上部面には導光板２００の上部に実装される光学シート６００の収納位置を規制するための端縁棚３２９が形成される。第３及び第４側壁３２０ｃ、３２０ｄの上部面には光学シート６００を固定するための固定突起３２２が形成される。
【００６２】
一方、収納容器３００は、第１側壁３２０ａと第４側壁３２０ｄとが接する第１角部、第１側壁３２０ａと第３側壁３２０ｃとが接する第２角部、第２側壁３２０ｂと第３側壁３２０ｃとが接する第３角部、及び第２側壁３２０ｂと第４側壁３２０ｄとが接する第４角部にそれぞれ形成される規制部３５０をさらに含む。規制部３５０は第１、第２、第３及び第４側壁３２０ａ、３２０ｂ、３２０ｃ、３２０ｄの上部面より高い高さを有するように形成される。規制部３５０は外部から実装される液晶表示パネル（図示せず）の結合位置を規制する。
【００６３】
図１１は図１に示された反射シートを具体的に示した斜視図であり、図１２は図４に示された収納容器のＣ部分を拡大した拡大図である。
【００６４】
図１１及び図１２に示すように、収納容器３００の底部３１０上には反射シート５００が実装される。反射シート５００はポリエチレン・テレフタレート（ＰＥＴ）材質、またはポーリカボネイト（ＰＣ）材質からなり、反射シート５００の上面には光の反射のための反射層がコーティングされる。反射シート５００の両端部には反射シート５００の固定のための第２シート固定部５１０がそれぞれ形成される。
【００６５】
収納容器３００の第３及び第４側壁３２０ｃ、３２０ｄには、第２シート固定部５１０に対応して挿入スロット３２７が形成される。挿入スロット３２７は、第２シート固定部５１０が挿入されることができるように第３及び第４側壁３２０ｃ、３２０ｄの内側面に形成された穴である。
【００６６】
収納容器３００の底部３１０に実装された反射シート５００は、第２シート固定部５１０が挿入スロット３２７に挿入されることによって、収納容器３００に固定される。このように、第２シート固定部５１０と挿入スロット３２７との結合によって反射シート５００を固定することで、反射シート５００を固定するための別途の接着手段を除去することができる。
【００６７】
図１３は図４に示された収納容器のＤ部分を拡大した拡大図である。
【００６８】
図１３に示すように、収納容器３００の底部３１０は互いに部分的に連結される複数のリブ３１２と複数のリブの間に形成される開口部３１４からなる。
【００６９】
複数のリブ３１２は収納容器３００に順次に実装される反射シート５００、導光板２００及び光学シート６００を支持する。バックライト組立体１０００の重さを最小化するためにリブ３１２は底部３１０のうち最小限の領域のみに形成されることが望ましい。
【００７０】
一方、反射シート５００及び導光板２００と向き合うリブ３１２の内面は、各リブ３１２の中央部から開口部３１４と隣接する縁部に近づくほどリブ３１２の厚さが薄くなるように斜めになった部分を有するように形成される。リブ３１２の内面と向き合う導光板２００の下部面には第１プリズムパターン２１０が形成されているので、リブ３１２の縁部が角張っている形態に形成される場合、第１プリズムパターン２１０の形状に変形を誘発させる可能性がある。このように、第１プリズムパターン２１０の形状が変形する場合、導光板２００の上部に出射される出射光の外観品質が低下するという問題が発生する可能性がある。従って、リブ３１２の内面は縁部に近づくほど斜めの方向を有するように形成することで、導光板２００の第１プリズムパターン２１０に対する変形を防止することができる。
【００７１】
図１４は本発明の一実施形態による液晶表示装置を示す分解斜視図である。本実施形態で、バックライト組立体は図１ないし図１３を参照して説明したバックライト組立体１０００と同一の構成を有するので、その重複する説明は省略し、同一の名称及び同一の符号を使用する。
【００７２】
図１４に示すように、本発明の一実施形態による液晶表示装置２０００は、光を供給するためのバックライト組立体１０００、バックライト組立体１０００から供給された光を利用して画像を表示するための表示ユニット８００、及び表示ユニット８００をバックライト組立体１０００に固定するためのトップシャーシ９００を含む。
【００７３】
表示ユニット８００は、画像を表示する液晶表示パネル８１０、ソース印刷回路基板８２０、データテープキャリアパッケージ（以下、ＴＣＰ）８３０及びゲートＴＣＰ８４０を含む。
【００７４】
液晶表示パネル８１０は、薄膜トランジスタ（以下、ＴＦＴ）基板８１２、カラーフィルター基板８１４及び前記２つの基板８１２、８１４の間に介在する液晶（図示せず）を含む。
【００７５】
ＴＦＴ基板８１２は、スイッチング素子であるＴＦＴ（図示せず）がマトリックス形態に形成されている透明なガラス基板である。前記ＴＦＴのソース端子にはデータラインが連結され、ゲート端子にはゲートラインが連結される。また、ドレイン端子には透明な導電性材質からなる画素電極が連結される。
【００７６】
カラーフィルター基板８１４はＴＦＴ基板８１２に一定間隔離隔され対向配置される。カラーフィルター基板８１４は光が通過すると、所定の色に発現される色画素であるＲＧＢ画素が薄膜工程によって形成される基板である。カラーフィルター基板８１４の全面にはＩＴＯからなる共通電極が形成される。
【００７７】
このような構成を有する液晶表示パネル８１０は、前記ＴＦＴのゲート端子及びソース端子に電圧が印加されＴＦＴがターンオンされると、画素電極と共通電極との間には電界が形成される。このような電界によってＴＦＴ基板８１２とカラーフィルター基板８１４との間に注入された液晶の配列角が変化し、変化した配列角に従って光透過度が変更され所望の階調の画像を得るようになる。
【００７８】
ソース印刷回路基板８２０は、データＴＣＰ８３０を通ってＴＦＴ基板８１２の一端部に連結される。ソース印刷回路基板８２０は、液晶表示パネル８１０を駆動するためのデータ駆動信号及びゲート駆動信号を発生させ出力する。データ駆動信号は、ＴＦＴ基板８１２に形成されたデータラインを制御するための駆動信号であり、データＴＣＰ８３０を通じてデータラインに印加される。ゲート駆動信号は、ＴＦＴ基板８１２に形成されたゲートラインを制御するための駆動信号であり、データＴＣＰ８３０及びゲートＴＣＰ８４０を経由してゲートラインに印加される。これのために、ＴＦＴ基板８１２にはデータＴＣＰ８３０とゲートＴＣＰ８４０とを連結するための導電配線（図示せず）がさらに形成される。
【００７９】
一方、表示ユニット８００は、バックライト組立体１０００の上部に実装される。液晶表示パネル８１０は収納容器３００の上部に配置され、収納容器３００の４つの角部に形成された規制部３５０によって実装位置が規制される。ソース印刷回路基板８２０はデータＴＣＰ８３０を収納容器３００の縁部に沿って曲げることによって収納容器３００の背面に固定される。
【００８０】
トップシャーシ９００は、バックライト組立体１０００に収納された液晶表示パネル８１０の縁部を取り囲むように収納容器３００と結合される。トップシャーシ９００は、バックライト組立体１０００から液晶表示パネル８１０が離脱しないようにすることは勿論、割れやすい液晶表示パネル８１０が外部の衝撃によって破損されることを防止する。
【００８１】
このようなバックライト組立体及びこれを有する液晶表示装置によると、下部面にプリズムパターンが形成される導光板は両面テープのような接着部材によって収納容器に固定される。従って、導光板に固定のための別途の形状加工が不必要になり、導光板の形状加工による外観品質不良を防止することができる。
【００８２】
また、収納容器の底部に形成されるリブは、中央部から開口部と隣接する縁部に近づくほど厚さが薄くなるようにその内面が傾斜部を有するように形成される。従って、導光板の下部面に形成されたプリズムパターンの形状変形を防止して外観品質不良を防止することができる。
【００８３】
以上、本発明の実施形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【００８４】
【図１】本発明の一実施形態によるバックライト組立体を示した分解斜視図である。
【図２】図１に示された導光板及び光学シートの下部面を具体的に示した斜視図である。
【図３】図２のＡ部分を拡大した拡大図である。
【図４】図１に示された収納容器及び接着部材を具体的に示した斜視図である。
【図５】図１に示されたバックライト組立体の対向部を示した断面図である。
【図６】図４に示された収納容器のＢ部分の背面を示した斜視図である。
【図７】図１に示されたバックライト組立体の入光部側を切断した断面図である。
【図８】図１に示されたランプ反射板及びバックカバーを具体的に示した斜視図である。
【図９】図４に示された収納容器の平面図である。
【図１０】図４に示された収納容器の第２側壁と第４側壁とが接する第３角部を具体的に示した斜視図である。
【図１１】図１に示された反射シートを具体的に示した斜視図である。
【図１２】図４に示された収納容器のＣ部分を拡大した拡大図である。
【図１３】図４に示された収納容器のＤ部分を拡大した拡大図である。
【図１４】本発明の一実施形態による液晶表示装置を示した分解斜視図である。
【符号の説明】
【００８５】
１００      ランプ組立体    
１２０      ランプ反射板
１２６      フック部
２００      導光板
２１０      第１プリズムパターン   
３００      収納容器
３１２      リブ     
４００      接着部材
５００      反射シート      
６００      光学シート
７００      バックカバー    
８００      表示ユニット
８１０      液晶表示パネル  
９００      トップシャーシ
１０００      バックライト組立体   
２０００      液晶表示装置
【図１】
2005235771.tif 000003
【図２】
2005235771.tif 000004
【図３】
2005235771.tif 000005
【図４】
2005235771.tif 000006
【図５】
2005235771.tif 000007
【図６】
2005235771.tif 000008
【図７】
2005235771.tif 000009
【図８】
2005235771.tif 000010
【図９】
2005235771.tif 000011
【図１０】
2005235771.tif 000012
【図１１】
2005235771.tif 000013
【図１２】
2005235771.tif 000014
【図１３】
2005235771.tif 000015
【図１４】
2005235771.tif 000016